【事件の表示】
　平成１１年特許願第３２７３５４号「ランプソケット」拒絶査定不服審判事件〔平成１３年　５月２５日出願公開、特開２００１−１４３８３９〕について、次のとおり審決する。
【結　論】
　本件審判の請求は、成り立たない。
【理　由】
１．手続の経緯 
　本願は、平成１１年１１月１７日の出願であって、平成１７年　９月２９日付けで拒絶査定がなされ（発送日：平成１７年１０月　４日）、これに対し、同年１１月　４日に拒絶査定不服審判が請求されるとともに、同年１２月　１日付けで明細書について手続補正がなされたものである。
　　　
２．平成１７年１２月　１日付けの手続補正についての補正却下の決定
［補正却下の決定の結論］
　平成１７年１２月　１日付けの手続補正を却下する。
　
［理由］
（１）補正後の本願発明
　本件補正により、特許請求の範囲の請求項１は、
「ソケット本体に筒状部を設けて、この筒状部内を、ランプのランプ側嵌合部が嵌合するソケット側嵌合部にすると共に、前記ソケット側嵌合部の中央部にランプ端子が接触する一方の端子を、前記ソケット側嵌合部の周部に前記ランプ側嵌合部の周部のコンタクト部が接触する他方の端子をそれぞれ設けたランプソケットであって、
　前記ランプ側嵌合部の嵌合時に前記ランプ側嵌合部の周部の係合ピンが挿入される挿入用溝を、前記筒状部の周縁側から前記筒状部の軸方向に形成し、前記挿入用溝に連なり且つ前記ランプの回転により前記係合ピンが係合する係合孔部を、前記筒状部の周方向に長い形状になるように、前記筒状部の周部に設けて、前記挿入用溝と前記係合孔部とでランプ係合部を構成し、
　前記係合孔部の、前記挿入用溝に連なる端部とは反対方向の端部に、前記係合孔部に連なる切欠き部を設けると共に、前記係合孔部が互いに平行な辺縁部を有して、これら辺縁部のうち鍔部に対する側の辺縁部に突起部が設けられ、
　且つ、前記筒状部の先端部の外周側に鍔状部を形成して、該鍔状部により前記筒状部の先端部を他の部分より肉厚にすると共に、前記挿入用溝を肉厚にするための肉厚部を前記鍔状部から連ねて筒状部の外周側にかけて形成し、
　更に、前記筒状部に有端閉塞のスリットを設けて、前記スリットを、前記切欠き部の下側から前記肉厚部の下側の範囲まで、前記係合孔部に略平行に形成し、前記係合孔部と前記スリットとに挟まれた部分を、前記ランプ係合部に係合された前記係合ピンの移動により撓む撓み部にしたことを特徴とするランプソケット。」と補正された。
　　
　上記補正は、請求項１に記載した発明を特定するために必要な事項である「突起部」について「鍔部に対する側の（辺縁部に）」との限定を付加し、同じく「スリット」について「有端閉塞のスリット」と限定すると共に、更に該「スリット」について「前記切欠き部の下側から前記肉厚部の下側の範囲まで、」との限定を付加するものであって、平成１８年改正前特許法第１７条の２第４項第２号の特許請求の範囲の減縮を目的とするものに該当する。
　
　そこで、本件補正後の請求項１に記載された発明（以下「本願補正発明」という。）が特許出願の際独立して特許を受けることができるものであるか（平成１８年改正前特許法第１７条の２第５項において準用する特許法第１２６条第５項の規定に適合するか）について以下検討する。
　
（２）引用例
　原査定の拒絶の理由に引用された特開平１０−６９９５３号公報（以下「引用例１」という。）には、図面とともに次のように記載されている。
　
ａ「【産業上の利用分野】本発明は、自動車のヘッドライトなどのランプを装着するランプソケットに関するものである。」（段落【０００１】）
　　
ｂ「【課題を解決するための手段】上記目的を達成するために、請求項１の発明に係るランプソケットは、ソケット本体に筒状部を設けて、この筒状部内を、ランプのランプ側嵌合部が嵌合するソケット側嵌合部にすると共に、前記ソケット側嵌合部の中央部に、前記ランプ側嵌合部の前記ソケット側嵌合部への嵌合時に、ランプ端子が接触する一方の端子を、前記ソケット側嵌合部の周部に、前記ランプ側嵌合部の前記ソケット側嵌合部への嵌合時に、前記ランプ側嵌合部の周部のコンタクト部が接触する他方の端子をそれぞれ設け、前記一方及び他方の端子に圧着端子を介して電線を接続したランプソケットであって、前記筒状部の周部に、前記ソケット側嵌合部の周部に形成され且つランプ側嵌合部の嵌合時に、前記ランプ側嵌合部に設けた係合ピンが挿入される挿入用溝と、前記挿入用溝の端部に連なり且つ前記ランプの回転により前記係合ピンが係合される係合孔部とで構成したランプ係合部を設けたことを特徴とする。」（段落【０００５】）
　
ｃ「本発明に係わるランプソケットＡは、ソケット本体１と、カバー２と、ソケット本体１の中心側に位置する一方の端子３と、ソケット本体１の周側に位置する他方の端子４と、接続用の圧着端子５とを備えている。
　前記ソケット本体１は図１及び図２示すように円形状の筒状部６を有しており、この筒状部６にはソケット側嵌合部７とランプ係合部８と端子導出部９とが形成してある。前記ソケット側嵌合部７は中央の円筒部１０と筒状部６の内周面部６ａとの間の円環状の部分であり、前記円筒部１０の底部には中央の端子装着部１１が、また、嵌合部７の周部には側部の端子装着部１２がそれぞれ形成してある。」（段落【００１３】、【００１４】）
　
ｄ「前記ランプ係合部８は、前記筒状部６の周方向に所定の間隔をおいて形成された複数の係合孔部１８と、前記筒状部６の内周面部に形成されて前記係合孔部１８の端部に連なる挿入用溝１９と、係合孔部１８の、挿入用溝１９に連なる端部とは反対方向に端部に設けられて係合孔部１８に連なる切欠き部１８ａとで構成してある。また、前記ソケット本体１の下部周面には複数の係合突起２０と電源導出部２１とが形成してある。」（段落【００１６】）
　
ｅ「そして、一方の端子３は前記ソケット本体１の中央の端子装着部１１に圧入状態で装着してあり、この端子３の端子脚部２６は端子脚用孔部１４を貫通して前記端子導出部９に突出しており、また、他方の端子４は前記ソケット本体１の端子装着部１２に圧入状態で装着してあり、この端子４の接点部２７ａは前記端子表出部１６よりソケット側嵌合部７内に表出している。また、端子４の端子脚部２９は端子脚用孔部１７を貫通して前記端子導出部９に突出している。」（段落【００２０】）
　
ｆ「ランプＢは図７に示すようにランプボディ４０を備えており、このランプボディ４０は、前記ランプソケットＡのソケット側嵌合部７に嵌合するランプ側の嵌合部４１と、前記ランプソケットＡのランプ係合部８に係合する係合部４２とが形成してあり、この係合部４２には係合ピン４３が形成してある。また、前記嵌合部４１の端面には円形凹部４４が形成してある。
　前記ランプボディ４０の中心部にはランプ端子４５が装着してあり、このランプ端子４５のランプ接続部４６は前記ランプボディ４０の上面部に表出しており、また、ランプ端子４５のコンタクト部４７は前記円形凹部４４内に突出している。そして、前記ランプ側嵌合部４１の周部には円環状のコンタクト部４８が設けてある。
　そして、前記ランプ端子４５のランプ接続部４６にはバルブ４９が接続してあり、このバルブ４９の一方の接点４９ａはランプ端子４５に導通しており、バルブ４９の他方の接点４９ｂはコンタクト部４８に導通している。
　そして、上記のように構成されたランプＢは、そのランプ側嵌合部４１を前記ランプソケットＡのソケット側嵌合部７に嵌合し、係合部４２の係合ピン部４３を前記挿入用溝１９に挿入した後、ランプＢを回転させて係合ピン部４３を係合孔部１８に係合して前記ランプソケットＡに装着してあり、ランプ端子４５のコンタクト部４７は一方の端子３のランプ接触部２５に接触し、前記嵌合部４１の周部のコンタクト部４８は、他方の端子４の接点部２７ａに接触している。」（段落【００２３】〜【００２６】）
　
ｇ「また、筒状部６に、周方向に所定の間隔をおいて複数のランプ係合部８を設けても、隣り合うランプ係合部８が筒状部６の周壁部で連ねられているために、ソケット側嵌合部７の強度が低下することがなく、ランプ側嵌合部４１のソケット側嵌合部７への嵌合時にこじりが発生しても、ソケット側嵌合部７が変形することがなく、ランプＢを確実にランプソケットに装着することができる。
　また、係合ピン４３が係合孔部１８に挿入された時に、係合孔部１８は、切欠き部１８ａがあるために、ランプ側嵌合部４１の嵌合方向に拡げる。したがって、係合ピン４３の係合孔部１８への挿入を確実に行うことができる。」（段落【００２８】、【００２９】）
　　
　そして、引用例１に記載されたランプソケットＡは、引用例１の図１及び図２の記載からみて、筒状部６の先端部の外周側に鍔状部が形成されて、該鍔状部により前記筒状部６の先端部を他の部分より肉厚にされているものと理解できる。
　
　上記事項ａ〜ｇ及び図面の記載からみて、引用例１には、
「ソケット本体１に筒状部６を設けて、この筒状部６内を、ランプＢのランプ側嵌合部４１が嵌合するソケット側嵌合部７にすると共に、前記ソケット側嵌合部７の中央部にランプ端子４５が接触する一方の端子３を、前記ソケット側嵌合部７の周部に前記ランプ側嵌合部４１の周部のコンタクト部４８が接触する他方の端子４をそれぞれ設けたランプソケットＡであって、
　前記ランプ側嵌合部４１の嵌合時に前記ランプ側嵌合部４１の周部の係合ピン４３が挿入される挿入用溝１９を、前記筒状部６の周縁側から前記筒状部６の軸方向に形成し、前記挿入用溝１９に連なり且つ前記ランプＢの回転により前記係合ピン４３が係合する係合孔部１８を、前記筒状部６の周方向に長い形状になるように、前記筒状部６の周部に設けて、前記挿入用溝１９と前記係合孔部１８とでランプ係合部８を構成し、
　前記係合孔部１８の、前記挿入用溝１９に連なる端部とは反対方向の端部に、前記係合孔部１８に連なる切欠き部１８ａを設けると共に、前記係合孔部１８が互いに平行な辺縁部を有して、
　且つ、前記筒状部６の先端部の外周側に鍔状部を形成して、該鍔状部により前記筒状部６の先端部を他の部分より肉厚にすることを特徴とするランプソケット。」（以下「引用発明１」という。）
　が記載されている。
　
　同じく、原査定の拒絶の理由に引用された特開昭６２−２３７６８４号公報（以下「引用例２」という。）には、図面とともに次のように記載されている。
　　
ａ「本発明は、自動車、２輪車、農業用機器、建築用機器などでランプを保持するソケットに関する。」（第２頁左上欄第７行〜第８行）
　　
ｂ「このソケット１が保持するランプ２は、発光体３を外包するガラス球４と、筒状の電極部５とからなる。電極部５は、電極部５の外周全体に設けられた外周電極６と、その端部に設けられた中心電極７とを備え、外周電極６と中心電極７とは図示しない絶縁体により発光体３を介してのみ導通するよう絶縁されている。そして、外周電極６の外周には、円柱状の突起８が１つまたは少数設けられている。」（第２頁右下欄第１５行〜第３頁左上欄第３行）
　　
ｃ「このランプ２を保持するソケット１は、電極部５を外嵌するように、電極部５の挿入側が開口された金属製よりなる筒状のソケット本体９を備える。この本体９は、ランプ２を点灯するための一方の図示しない電極に導通される。本体９の底部には、絶縁体１０が配設され、この絶縁体１０の電極部５の挿入される側の中央には中心電極７と接触可能な中心接触子１１が設けられる。この中心接触子１１は、本体９の底部より挿通され、絶縁体１０の中央部を挿通されたランプ２を点灯するための他方の図示しない電極に導通される電線１２と接続される。」（第３頁左上欄第４行〜第１５行）
　　
ｄ「本体９の外周には、ランプ２の電極部５を本体９に保持する際に、ランプ２の中心電極７が圧縮コイルスプリング１４に付勢される位置へ突起８を案内する挿入溝１５と、中心電極７が圧縮コイルスプリング１４に付勢された状態でランプ２を回転する方向に案内する係止部１６とからなる略Ｌ字型の案内溝１７が形成されている。この係止部１６の電極部５が挿入される側（図示上側）の辺１８は、係止部１６の中間部が狭くされるよう、電極部５が挿入される側とは反対側に突設して設けられている。」（第３頁右上欄第２行〜第１１行）
　　
ｅ「一方、係止部１６の電極部５が挿入される側とは反対側（図示下側）の辺１９を形成する撓み部材２０は、係止部１６の回動終点を頂点とする略Ｕ字型の弾性溝２１に囲まれて形成される。これにより、撓み部材２０は、係止部１６の回動始点側（図示右側）に支持されて撓みが可能とされる。」（第３頁右上欄第１６行〜左下欄第１行）
　　
ｆ「上記よりなるソケット１は、ランプ２をソケット１に保持する際、まず、突起８を挿入溝１５に沿って差込み、圧縮コイルスプリング１４を圧縮して本体９内に電極部５を挿入する。次に突起８を係止部１６に沿って回転させる。これにより、圧縮コイルスプリング１４が絶縁体１０、中心接触子１１を介して電極部５を電極部５を挿入する側に付勢し、辺１８に突起８が押圧されてランプ２がソケット１に支持される。また、突起８が突起８の径より狭い係止部１６の中間部を通過する時は、突起８の径と係止部１６の中間部の間隔との差を撓み部材２０が撓んで突起８を通過させる。突起８が係止部１６の回動終点に位置するときは、突起８の径と係止部１６の回動終点の間隔との差を撓み部材２０が撓んで吸収する。これにより、係止部１６の回動終点に位置する突起８は、撓み部材２０が元の状態に戻る力により電極部５が挿入される側に付勢される。」（第３頁左下欄第４行〜第２０行）。
　　
　上記事項ａ〜ｆ及び図面の記載からみて、引用例２には、
「ランプ電極部５の嵌合時に前記電極部５の周部の突起８が挿入される挿入溝１５を、ソケット本体９の筒状部の周縁側から前記筒状部の軸方向に形成し、前記挿入溝１５に連なり且つランプ２の回転により前記突起８が係合する係止部１６を、前記筒状部の周方向に長い形状になるように、前記筒状部の周部に設けて、前記挿入溝１５と前記係止部１６とで案内溝１７を構成したランプのソケット１において、前記係止部１６を構成する辺のうち、ランプ電極部５が挿入される側の辺１８に、係止部１６の中間部が狭くなるよう突設して設けられたランプのソケット。」（以下「引用発明２の１」という。）、
　及び、
「ランプ電極部５の嵌合時に前記電極部５の周部の突起８が挿入される挿入溝１５を、ソケット本体９の筒状部の周縁側から前記筒状部の軸方向に形成し、前記挿入溝１５に連なり且つランプ２の回転により前記突起８が係合する係止部１６を、前記筒状部の周方向に長い形状になるように、前記筒状部の周部に設けて、前記挿入溝１５と前記係止部１６とで案内溝１７を構成したランプのソケット１において、上記筒状部に溝（略Ｕ字型の弾性溝２１の、筒状部の周縁とは離隔した側の溝）を設けて、該溝（略Ｕ字型の弾性溝２１の、筒状部の周縁とは離隔した側の溝）を、前記係止部１６の一端の下側から他端の下側の範囲まで、前記係止部１６に略平行に形成し、前記係止部１６と前記溝（略Ｕ字型の弾性溝２１の、筒状部の周縁とは離隔した側の溝）とに挟まれた部分を、前記案内溝１７に係合された前記突起８の移動により撓む撓み部材２０にしたことを特徴とするランプのソケット。」（以下「引用発明２の２」という。）
　が記載されている。
　　
　同じく、原査定の拒絶の理由に引用された実願平５−１３０５５号（実開平６−６８３６３号）のＣＤ−ＲＯＭ（以下「引用例３」という。）には、図面を参酌すると、
「ランプ側嵌合部の嵌合時に前記ランプ側嵌合部の周部の係合ピン１３が挿入される挿入用溝を、前記筒状部の周縁側から前記筒状部の軸方向に形成し、前記挿入用溝に連なり且つ前記ランプの回転により前記係合ピンが係合する係合孔部を前記筒状部の周方向に形成した電球ソケット２において、前記挿入用溝を肉厚にするための肉厚部を筒状部の外周側に形成した電球ソケット。」（以下「引用発明３」という。）
　が記載されている。
　　
　また、本願の出願前に頒布された刊行物である特開昭５７−１０９２７４号公報（以下「引用例４」という。）には、図面とともに次のように記載されている。
　　
ａ「本発明による電気コネクタ用連結部材は、例えばプラスチック製のふたつのコネクタハウジングを接続するのに用いられ、一方のハウジングに取付けられるとともに前方接続部分の内側に他方のハウジングのピンに組合う溝を包含する連結部材において、前記溝の一端に形成した第１の細長穴とこの第１の細長穴とほぼ平行に形成した第２の細長穴とを包含し、これら第１及び第２の細長穴はそれらの間に弾性的に可撓な部分を限定してなることを特徴とする。」（第２頁左上欄第１４行〜右上欄第３行）
　　
ｂ「第４図は、連結部材１の溝１３の端に開口した細長い穴１４を詳細に示す。この細長穴１４は、その中心軸線が溝１３の中心軸線と一直線をなし、またピン２１を受けるひとつ又はそれ以上のくぼみ１５を包含する。本実施例では、３つのくぼみ１５が細長穴１４の一側に形成されている。これら３つのくぼみのいずれかひとつにピン２１を位置させることにより、ハウジング２、３の連結の解除を生じさせる連結部材の偶発的な回転を防止する。他の細長穴１１が細長穴１４とほぼ平行に形成され、この細長穴１１はまたその拡口端部分１２を有する。細長穴１１及び拡口端部分１２は、それらと細長穴１４との間に弾性的に可撓な部分１６を限定する。この部分１６は、連結部材１が回転されピン２１が溝１３内を内方へ移動して細長穴１４のフラット面１７を押しつけたときに撓む。」（第２頁左下欄第７行〜右下欄第３行）
　　
　上記事項ａ、ｂ及び図面の記載からみて、引用例４には、
「筒状部に有端閉塞の細長穴１１（第２の細長穴）を設けて、該細長穴１１を、細長穴１４（第１の細長穴）の一端から他端の範囲まで、前記細長穴１４にほぼ平行に形成し、前記細長穴１４（第１の細長穴）と前記細長穴１１（第２の細長穴）とに挟まれた部分を、前記細長穴１４（第１の細長穴）に係合されたピン２１の移動により撓む可撓な部分１６としたことを特徴とする電気コネクタ用連結部材。」（以下「引用発明４」という。）が記載されている。
　　
（３）対比
　本願補正発明と引用発明１とを対比すると、
　両者は、
「ソケット本体に筒状部を設けて、この筒状部内を、ランプのランプ側嵌合部が嵌合するソケット側嵌合部にすると共に、前記ソケット側嵌合部の中央部にランプ端子が接触する一方の端子を、前記ソケット側嵌合部の周部に前記ランプ側嵌合部の周部のコンタクト部が接触する他方の端子をそれぞれ設けたランプソケットであって、
　前記ランプ側嵌合部の嵌合時に前記ランプ側嵌合部の周部の係合ピンが挿入される挿入用溝を、前記筒状部の周縁側から前記筒状部の軸方向に形成し、前記挿入用溝に連なり且つ前記ランプの回転により前記係合ピンが係合する係合孔部を、前記筒状部の周方向に長い形状になるように、前記筒状部の周部に設けて、前記挿入用溝と前記係合孔部とでランプ係合部を構成し、
　前記係合孔部の、前記挿入用溝に連なる端部とは反対方向の端部に、前記係合孔部に連なる切欠き部を設けると共に、前記係合孔部が互いに平行な辺縁部を有して、
　且つ、前記筒状部の先端部の外周側に鍔状部を形成して、該鍔状部により前記筒状部の先端部を他の部分より肉厚にすることを特徴とするランプソケット。」の点　
　で一致し、以下の点で相違している。
　　
［相違点１］
　本願補正発明では、これら辺縁部のうち鍔部に対する側の辺縁部に突起部が設けられているのに対し、引用発明１では、当該事項を具備しない点。
　
［相違点２］
　本願補正発明では、挿入用溝を肉厚にするための肉厚部を鍔状部から連ねて筒状部の外周側にかけて形成したのに対し、引用発明１では、筒状部の先端部の外周側に鍔状部を形成して、該鍔状部により前記筒状部の先端部を他の部分より肉厚にするものであるが、鍔状部から連ねて筒状部の外周側に形成される挿入溝を肉厚にするための肉厚部が形成されているかは不明である点。
　　
［相違点３］　
　本願補正発明では、筒状部に有端閉塞のスリットを設けて、前記スリットを、切欠き部の下側から肉厚部の下側の範囲まで、係合孔部に略平行に形成し、前記係合孔部と前記スリットとに挟まれた部分を、ランプ係合部に係合された係合ピンの移動により撓む撓み部にしたのに対し、引用発明１では、当該事項を具備しない点。
　　　
（４）当審の判断
　そこで、上記相違点について検討する。
　
［相違点１］について
　引用発明２の１における「ランプ電極部５」は本願補正発明における「ランプ側嵌合部」に相当し、以下同様に、「突起８」は「係合ピン」に、「挿入溝１５」は「挿入用溝」に、「係止部１６」は「係合孔部」に、「案内溝１７」は「ランプ係合部」に、「ランプのソケット１」は「ランプソケット」に、「辺」は「辺縁部」にそれぞれ相当する。
　また、引用発明２の１における「係止部１６の中間部が狭くなるよう突設して設けられ」は、辺１８から突起部が突設して設けられているものと理解でき、「突起部が設けられ」に相当するものである。
　　　
　したがって、引用発明２の１は、
「ランプ側嵌合部の嵌合時に前記ランプ側嵌合部の周部の係合ピンが挿入される挿入用溝を、筒状部の周縁側から前記筒状部の軸方向に形成し、前記挿入用溝に連なり且つ前記ランプの回転により前記係合ピンが係合する係合孔部を、前記筒状部の周方向に長い形状になるように、前記筒状部の周部に設けて、前記挿入用溝と前記係合孔部とでランプ係合部を構成したランプソケットにおいて、係合孔部を構成する辺縁部のうち、ランプ側嵌合部が挿入される側の辺縁部に突起部が設けられたランプソケット。」であるといえ、この発明は、「ランプソケットにおいて、係合孔部を構成する辺縁部のうち、ランプ側嵌合部が挿入される側の辺縁部に突起部を設けること」を具備するものである。
　　
　そして、突起部を、係合孔部を構成する辺縁部のうちどちら側の辺縁部に設けるかは、当業者が適宜決定し得る設計上の事項にすぎないものである。　
　さらに、引用発明１も引用発明２の１も、同じランプソケットに関する技術である。
　
　そうすると、引用発明１のランプソケットに、引用発明２の１の技術を適用し、これら辺縁部のうち鍔部に対する側の辺縁部に突起部を設けることは、当業者が容易に想到し得たことである。
　　
［相違点２］について
　引用発明３は、前記のとおり「ランプ側嵌合部の嵌合時に前記ランプ側嵌合部の周部の係合ピン１３が挿入される挿入用溝を、前記筒状部の周縁側から前記筒状部の軸方向に形成し、前記挿入用溝に連なり且つ前記ランプの回転により前記係合ピンが係合する係合孔部を前記筒状部の周方向に形成した電球ソケット２において、前記挿入用溝を肉厚にするための肉厚部を筒状部の外周側に形成した電球ソケット。」であって「挿入用溝を肉厚にするための肉厚部を筒状部の外周側に形成」するものである。
　
　そして、引用発明３も引用発明１と同じ技術分野に属するものである。
　
　してみると、引用発明１のランプソケットに、引用発明３を適用し、肉厚部を形成するのに、挿入用溝を肉厚にするための肉厚部を鍔状部から連ねて筒状部の外周側にかけて形成することは、引用発明３に基づいて、当業者であれば、容易に想到し得たことである。
　
［相違点３］について
　引用発明２の２と本願補正発明とを対比すると、引用発明２の２における「ランプ電極部５」は本願補正発明における「ランプ側嵌合部」に相当し、以下同様に、「突起８」は「係合ピン」に、「挿入溝１５」は「挿入用溝」に、「係止部１６」は「係合孔部」に、「案内溝１７」は「ランプ係合部」に、「ランプのソケット１」は「ランプソケット」に、「溝（略Ｕ字型の弾性溝２１の、筒状部の周縁とは離隔した側の溝）」は「スリット」に、「撓み部材２０」は、「撓み部」に、それぞれ相当する。
　
　したがって、引用発明２の２は、
「ランプ側嵌合部の嵌合時に前記ランプ側嵌合部の周部の係合ピンが挿入される挿入用溝を、筒状部の周縁側から前記筒状部の軸方向に形成し、前記挿入用溝に連なり且つランプの回転により前記係合ピンが係合する係合孔部を、前記筒状部の周方向に長い形状になるように、前記筒状部の周部に設けて、前記挿入用溝と前記係合孔部とでランプ係合部を構成したランプソケットにおいて、前記筒状部にスリットを設けて、前記スリットを、前記係合孔部の一端の下側から他端の下側の範囲まで、前記係合孔部に略平行に形成し、前記係合孔部と前記スリットとに挟まれた部分を、前記ランプ係合部に係合された前記係合ピンの移動により撓む撓み部にしたランプソケット。」であるといえ、該発明は、「ランプソケットにおいて、筒状部にスリットを設けて、スリットを、係合孔部の一端の下側から他端の下側の範囲まで、前記係合孔部に略平行に形成し、前記係合孔部と前記スリットとに挟まれた部分を、前記ランプ係合部に係合された前記係合ピンの移動により撓む撓み部にした」点を具備するものである。
　　
　また、引用発明４は、「筒状部に有端閉塞の細長穴１１（第２の細長穴）を設けて、該細長穴１１を、細長穴１４（第１の細長穴）の一端から他端の範囲まで、前記細長穴１４にほぼ平行に形成し、前記細長穴１４（第１の細長穴）と前記細長穴１１（第２の細長穴）とに挟まれた部分を、前記細長穴１４（第１の細長穴）に係合されたピン２１の移動により撓む可撓な部分１６とした」ものである。
　
　そして、引用発明４は、本願補正発明のランプソケットと同様の電気コネクタ用連結部材に関するものである。
　
　加えて、引用発明２の２も引用発明４も、細長い穴（スリット）を形成し、部材を係合させるに際し、被係合部材を撓ませるという点では、共通の技術である。
　
　してみると、引用発明１のランプソケットにおいて、引用発明２の２のようなスリットを施し、係合孔部とスリットとに挟まれた部分を、ランプ係合部に係合された係合ピンの移動により撓む撓み部にするのに際し、該スリットを、引用発明４のように、有端閉塞のスリットとすると共に、該スリットを切欠き部の下側から肉厚部の下側の範囲までとして施すことは、引用発明１、引用発明２の２及び引用発明４から当業者が容易に想到し得たことである。
　
　そして、本願補正発明が奏する作用、効果は、引用発明１ないし引用発明４から、当業者であれば、予測することができたものである。
　　　　
　したがって、本願補正発明は、引用発明１ないし引用発明４に基づいて当業者が容易に発明をすることができたものであるから、特許法第２９条第２項の規定により特許出願の際独立して特許を受けることができないものである。
　
（５）むすび
　以上のとおりであるから、本件補正は、平成１８年改正前特許法第１７条の２第５項において準用する特許法第１２６条第５項の規定に違反するものであるから、平成１８年改正前特許法第１５９条第１項の規定において読み替えて準用する同法第５３条第１項の規定により却下すべきものである。
　
３．本願発明について
　平成１７年１２月１日付けの手続補正は上記のとおり却下されたので、本願の請求項１に係る発明（以下「本願発明」という。）は、平成１６年６月２５日付け手続補正書の特許請求の範囲請求項１に記載された事項により特定される、つぎのとおりのものである。
　
「ソケット本体に筒状部を設けて、この筒状部内を、ランプのランプ側嵌合部が嵌合するソケット側嵌合部にすると共に、前記ソケット側嵌合部の中央部にランプ端子が接触する一方の端子を、前記ソケット側嵌合部の周部に前記ランプ側嵌合部の周部のコンタクト部が接触する他方の端子をそれぞれ設けたランプソケットであって、
　前記ランプ側嵌合部の嵌合時に前記ランプ側嵌合部の周部の係合ピンが挿入される挿入用溝を、前記筒状部の周縁側から前記筒状部の軸方向に形成し、前記挿入用溝に連なり且つ前記ランプの回転により前記係合ピンが係合する係合孔部を、前記筒状部の周方向に長い形状になるように、前記筒状部の周部に設けて、前記挿入用溝と前記係合孔部とでランプ係合部を構成し、
　前記係合孔部の、前記挿入用溝に連なる端部とは反対方向の端部に、前記係合孔部に連なる切欠き部を設けると共に、前記係合孔部が互いに平行な辺縁部を有して、これら辺縁部のうち前記一方の辺縁部に突起部が設けられ、
　且つ、前記筒状部の先端部の外周側に鍔状部を形成して、該鍔状部により前記筒状部の先端部を他の部分より肉厚にすると共に、前記挿入用溝を肉厚にするための肉厚部を前記鍔状部から連ねて筒状部の外周側にかけて形成し、
　更に、前記筒状部にスリットを設けて、前記スリットを、前記係合孔部を挟んで前記鍔状部とは反対側に位置させて前記係合孔部に略平行に形成し、前記係合孔部と前記スリットとに挟まれた部分を、前記ランプ係合部に係合された前記係合ピンの移動により撓む撓み部にしたことを特徴とするランプソケット。」
　
（１）引用文献
　原査定の拒絶の理由に引用された引用文献１ないし引用文献３に記載された発明は、前記「２．（２）」に記載したとおりである（原査定における、「引用文献１」は前記「引用例２」に、同じく「引用文献２」は前記「引用例１」に、「引用文献３」は「引用例３」に、それぞれ対応している。）。　
（２）対比
　本願発明と引用文献２に記載された発明（前記「引用発明１」）とを対比すると、
　両者は、
「ソケット本体に筒状部を設けて、この筒状部内を、ランプのランプ側嵌合部が嵌合するソケット側嵌合部にすると共に、前記ソケット側嵌合部の中央部にランプ端子が接触する一方の端子を、前記ソケット側嵌合部の周部に前記ランプ側嵌合部の周部のコンタクト部が接触する他方の端子をそれぞれ設けたランプソケットであって、
　前記ランプ側嵌合部の嵌合時に前記ランプ側嵌合部の周部の係合ピンが挿入される挿入用溝を、前記筒状部の周縁側から前記筒状部の軸方向に形成し、前記挿入用溝に連なり且つ前記ランプの回転により前記係合ピンが係合する係合孔部を、前記筒状部の周方向に長い形状になるように、前記筒状部の周部に設けて、前記挿入用溝と前記係合孔部とでランプ係合部を構成し、
　前記係合孔部の、前記挿入用溝に連なる端部とは反対方向の端部に、前記係合孔部に連なる切欠き部を設けると共に、前記係合孔部が互いに平行な辺縁部を有して、
　且つ、前記筒状部の先端部の外周側に鍔状部を形成して、該鍔状部により前記筒状部の先端部を他の部分より肉厚にすることを特徴とするランプソケット。」の点
　で一致し、つぎの点で相違している。
　
［相違点１］
　本願発明では、これら辺縁部のうち一方の辺縁部に突起部が設けられているのに対し、引用文献２に記載された発明では、当該事項を具備しな点。
　
［相違点２］
　本願発明では、挿入用溝を肉厚にするための肉厚部を鍔状部から連ねて筒状部の外周側にかけて形成したのに対し、引用文献２に記載された発明では、筒状部の先端部の外周側に鍔状部を形成して、該鍔状部により前記筒状部の先端部を他の部分より肉厚にするものであるが、鍔状部から連ねて筒状部の外周側に形成される挿入溝を肉厚にするための肉厚部が形成されているかは不明である点。
　
［相違点３］
　本願発明では、筒状部にスリットを設けて、前記スリットを、係合孔部を挟んで鍔状部とは反対側に位置させて前記係合孔部に略平行に形成し、前記係合孔部と前記スリットとに挟まれた部分を、ランプ係合部に係合された係合ピンの移動により撓む撓み部にしたのに対し、引用文献２に記載された発明では、当該事項を具備しない点。
　
（３）当審の判断
　そこで、上記相違点について検討する。
　
［相違点１］について
　上記「２．（４）」の「［相違点１］について」で記載したとおり、引用文献１に記載された発明（前記「引用発明２の１」）は、「ランプソケットにおいて、係合孔部を構成する辺縁部のうち、ランプ側嵌合部が挿入される側の辺縁部に突起部を設ける」ものである。すなわち、引用文献１に記載された発明は「ランプソケットにおいて、これら辺縁部のうち一方の辺縁部に突起部を設ける」ものである。
　　
　してみると、引用文献２に記載されたランプソケットに引用文献１に記載の発明を適用し、［相違点１］における本願発明の構成とすることは、引用文献１及び引用文献２に記載された発明が、いずれもランプソケットに関する技術であって、同じ技術分野に属することからみて、当業者が容易に想到し得たことである。
　　
［相違点２］について
［相違点２］における本願発明の構成とすることは、上記「２．（４）」の「［相違点２］について」で記載したとおり、引用文献２に記載された発明（前記「引用発明１」）及び引用文献３に記載された発明（前記「引用発明３」）に基づいて、当業者が容易に想到し得たものである。
　
［相違点３］について
　前記「２．（４）［相違点３］について」で見たように、引用文献１に記載された発明（前記「引用発明２の２」）は、「ランプソケットにおいて、前記筒状部にスリットを設けて、前記スリットを、前記係合孔部の一端の下側から他端の下側の範囲まで、前記係合孔部に略平行に形成し、前記係合孔部と前記スリットとに挟まれた部分を、前記ランプ係合部に係合された前記係合ピンの移動により撓む撓み部にした」ものである。
　　
　してみると、引用文献２に記載された発明におけるランプソケットにおいて、引用文献１に記載された発明のようなスリットを、係合孔部を挟んで鍔状部とは反対側に位置させて前記係合孔部に略平行に施し、前記係合孔部と前記スリットとに挟まれた部分を、前記ランプ係合部に係合された前記係合ピンの移動により撓む撓み部にする程度のことは、当業者が容易に想到し得たことである。
　
　そして、本願発明が奏する作用、効果は、引用文献１ないし引用文献３に記載された発明から、当業者が予測することができたものである。
　
（４）むすび
　以上のとおり、本願発明は、引用文献１ないし引用文献３に記載された発明に基づいて当業者が容易に発明をすることができたものであるから、特許法第２９条第２項の規定により特許を受けることができない。
　　
　よって、結論のとおり審決する。